(57)【要約】      （修正有）【課題】幅広い参加者を対象としつつ、より観光要素の強いイベントを開催する際に使用し、主催者側の採点作業が簡単で、運営コストを抑えることができる、散策イベント用の解答用紙を提供する。【解決手段】散策イベント用の解答用紙Ａは、散策領域をグリッド表示した散策地図を表示する地図表示欄１０と、散策地図に点在する各拠点の拠点情報をそれぞれ表示する拠点表示欄２０と、拠点表示欄２０の拠点情報に基づく拠点の位置を地図表示欄１０のグリッド番号で記入するための解答記入欄３０と、を少なくとも有する。拠点情報には拠点の撮影写真、イラスト、説明文章などを用いることができる。散策地図内を参加者にくまなく散策してもらうことで観光効果を高める。【選択図】図１
0003231862.tif 000002
【実用新案登録請求の範囲】
【請求項１】
散策イベント用の解答用紙であって、
散策領域をグリッド表示した散策地図を表示する、地図表示欄と、
散策地図に点在する各拠点の拠点情報をそれぞれ表示する、拠点表示欄と、
前記拠点表示欄の拠点情報に基づく拠点の位置を、前記地図表示欄のグリッド番号で記入するための、解答記入欄と、
を少なくとも有することを特徴とする、
散策イベント用の解答用紙。
【請求項２】
前記拠点情報が、前記拠点の撮影写真を含んで構成してあることを特徴とする、
請求項１に記載の散策イベント用の解答用紙。
【請求項３】
前記拠点情報が、前記拠点の説明文章を含んで構成してあることを特徴とする、
請求項１または２に記載の散策イベント用の解答用紙。
【請求項４】
前記解答用紙を挟み込み可能な、クリアファイルを更に備え、
前記クリアファイルに、前記解答用紙に重ねて表示されるヒント欄を設けたことを特徴とする、
請求項１乃至３のうち何れか１項に記載の散策イベント用の解答用紙。
【考案の詳細な説明】
【技術分野】
【０００１】
本考案は、地域振興等を目的とする散策イベントにおいて、当該イベントの参加者に配布する解答用紙に関する。
【背景技術】
【０００２】
出願人は、競技ロゲイニングの入門版であるフォトロゲイニング（登録商標）およびフォトロゲ（登録商標）と呼ばれるイベントの開催にあたり、各地域の主催者の求めに応じた監修と、運営者の講習を行う法人である。
【０００３】
フォトロゲイニングとは、主催者から配られた地図を元に、所定時間内に地図内のチェックポイントを回り、各チェックポイントに割り当てられた点数を加算して、合計点の高さを競うイベントである。
フォトロゲイニングでは、各チェックポイントへの到達を示す印として、チェックポイント周辺を撮影した見本写真と同じ写真を撮影してくることを条件としており、チェックポイントに設置した器具に電子カードで証明を行う競技ロゲイニングよりも、運営の手間やコストを軽減できる点でメリットがある。
そのため、各自治体や観光協会などが、フォトロゲイニングを地域振興のイベントとして採用する事例が増加している。
【先行技術文献】
【非特許文献】
【０００４】
【非特許文献１】https://photorogaining.com/
【考案の概要】
【考案が解決しようとする課題】
【０００５】
本考案は、このフォトロゲイニングとは別に、さらに幅広い参加者を対象としつつ、より観光要素の強いイベントを開催する際に使用する、散策イベント用の解答用紙を提供することを目的とするものである。
【課題を解決するための手段】
【０００６】
上記課題を解決すべくなされた本願の第１考案は、散策イベント用の解答用紙であって、散策領域をグリッド表示した散策地図を表示する、地図表示欄と、散策地図に点在する各拠点の拠点情報をそれぞれ表示する、拠点表示欄と、前記拠点表示欄の拠点情報に基づく拠点の位置を、前記地図表示欄のグリッド番号で記入するための、解答記入欄と、を少なくとも有することを特徴とする。
また、本願の第２考案は、前記第１考案において、前記拠点情報が、前記拠点の撮影写真を含んで構成してあることを特徴とする。
また、本願の第３考案は、前記第１考案または第２項案において、前記拠点情報が、前記拠点の説明文章を含んで構成してあることを特徴とする。
また、本願の第４考案は、前記第１考案乃至第３項案のうちいずれか１つの考案において、前記解答用紙を挟み込み可能な、クリアファイルを更に備え、前記クリアファイルに、前記解答用紙に重ねて表示されるヒント欄を設けたことを特徴とする。
【考案の効果】
【０００７】
本考案によれば、以下に記載する効果のうち、少なくとも何れか１つの効果を奏する。
（１）拠点表示欄で表示した散策領域に点在する拠点の情報（写真、イラスト、文章など）を参考に、参加者に散策領域をくまなく散策してもらうことで、より高い観光促進効果が期待できる。例えば、従来のフォトロゲイニングの開催日前日に、フォトロゲイニングの参加者限定で、本考案に係る解答用紙を用いた散策イベントを開催し、受付時や競技終了後などに参加特典（宿泊料の割引券や観光施設の割引券など）を設けることで、参加者に対し開催地での前日宿泊と前日観光を促し、より地域振興に貢献することができる。
（２）従来のフォトロゲイニングは、競技上時間制限を設けてあるため、競技中にゆっくり観光してもらうことが難しく、改めて訪れようという動機付けの惹起を目指すに留まっているところ、本考案に係る解答用紙を用いたイベントでは、前日〜当日朝や、週末、１週間、などの長期設定ができるので、時間のかかる施設への立ち寄りも期待できる。また、位置的に近すぎる場所でも組み込める。
（３）従来のフォトロゲイニングのように、各拠点に到達したことを写真撮影で証明する場合、主催者側では、参加者が撮影してきた写真が正しいかどうかを個別に確認する作業が発生するところ、本考案に係る解答用紙では、参加者は地図表示欄で割り当てられたグリッド番号に従って各拠点の位置を解答欄に記入して解答するため、主催者側での採点作業がより簡単となり、運営コストをより抑えることができる。
（４）地域振興などで採用されているスタンプラリーやポイントカードなどと異なり、各拠点に用意するスタンプ等の器具の手配も不要であり、運営コストを更に抑えることができる。
（５）解答用紙を中に挟むことが可能なクリアファイルを設けることにより、解答用紙側の地図表示欄、拠点表示欄、解答記入欄にテキストや図案などのヒントを事前に追加してしまうと地図の視認性が悪化する可能性があるところ、これらのヒントをクリアファイル側に設けることで、解答用紙自体の視認性を維持することができる。また、参加者が散策中に地図に書き込みをしたい場合であっても、解答用紙そのものに書き込むことなくクリアファイルに書き込みを行うことができるため、解答用紙を綺麗に保つことができ、イベント終了後の思い出の品としての取扱いにも優れる。
（６）解答用紙を中に挟むことが可能なクリアファイルに解答のヒントを設けておき、このクリアファイルを別途入手するためのイベントを新たに企画するなどすることで、地域振興効果をより高めることができる。また、同一の解答用紙を用いつつ、クリアファイルの有無によって難易度を調整できるため、各参加者の年齢等に応じた難易度調整作業が容易となる。
【図面の簡単な説明】
【０００８】
【図１】本考案の第１実施例に係る解答用紙を示す図。
【図２】第１実施例に係る解答用紙の配布状態を示す図。
【図３】本考案の第２実施例に係る解答用紙の一例を示す図。
【図４】本考案の第２実施例に係る解答用紙のその他の例を示す図。
【考案を実施するための形態】
【０００９】
以下、本考案に係る解答用紙の実施例について説明する。
【実施例１】
【００１０】
＜１＞全体構成（図１，図２）
図１，２に、本考案に係る解答用紙の一例を示す。
本考案に係る解答用紙Ａには、地図表示欄１０、拠点表示欄２０、および解答記入欄３０を少なくとも有して構成する。
本考案において、各欄のレイアウトは特段限定するものではなく、あらゆるレイアウトの構成が本考案の権利範囲に含まれるものとする。
また、本考案において、解答用紙Ａの表裏のレイアウトも特段限定するものではなく、例えば表面に地図表示欄１０のみを設け、裏面に拠点表示欄２０と回答記入欄３０とを設けた構成としてもよい。
さらに、本考案において、解答用紙Ａが折り加工された態様を呈していてもよい。
さらに、本考案において、解答用紙Ａの枚数も特段限定するものではなく、例えば１枚目に地図表示欄１０のみを設け、２枚目に拠点表示欄２０と回答記入欄３０とを設けた構成としてもよい。
さらに、本考案において、解答用紙に複数の散策領域を設定してもよい。例えば、１つのイベントで２種類の散策領域（第１の散策領域、第２の散策領域）を設定しておき、解答用紙Ａの表面に、第１の散策領域に関する地図表示欄１０、拠点表示欄２０、および解答記入欄３０を設け、解答用紙Ａの裏面に、第１の散策領域に関する地図表示欄１０、拠点表示欄２０、および解答記入欄３０を設けた構成としてもよい。
本実施例では、解答用紙Ａの表面側に、地図表示欄１０、拠点表示欄２０および解答記入欄３０を設けており、さらにその他の記入欄（参加者の氏名やチーム名、ゼッケン番号、主催者側で採点後に記入する正解数）を設けている。
以下、各欄の詳細について説明する。
【００１１】
＜２＞地図表示欄
地図表示欄１０は、主催者側で設定する散策領域の地図（散策地図）を表示する欄である。
地図表示欄１０では、散策地図をグリッド表記しており、このグリッド毎に記号や数字からなるグリッド番号を割り当てて構成する。
本実施例では、散策地図を、縦横に６行×１７列で格子状に分割して構成し、このうち５行（１〜５）×１７列（Ａ〜Ｐ）内に、主催者側で解答用の拠点が設定されることになる。この拠点は地図上には表示しない。
そして、グリッド番号は、Ａ１〜Ａ５，Ｂ１〜Ｂ５，・・・Ｐ１〜Ｐ５のように表記されることになり、後述する解答記入欄３０で記入する解答となる。
さらに、散策地図には、入手した地図情報に、主催者側で、信号などの目印や、公衆トイレなどを適宜加えておくと、参加者にとって利便性のよい地図となる。
【００１２】
なお、本考案において、グリッド番号の表記態様は上記例に限定せず、グリッド毎に単純に数字を並べた構成（６行×１７列のグリッド分割の場合、ＮＯ．１〜ＮＯ．１０２まで）とし、各グリッドの隅部に各数字を表記するような態様でも良い。
【００１３】
＜３＞拠点表示欄
拠点表示欄２０は、主催者側で設定した、散策地図に点在する各拠点の情報（拠点情報）を表示する欄である。
拠点情報は、拠点に関連する情報を記載する説明文章、拠点の撮影写真、拠点のイラストなどを用いることができる。
各拠点は、知名度の高い観光スポットに限らず、その拠点に向かうまでの道中に飲食店や土産店などが存在する場所などを選択してもよい。
また、有料の観光施設の施設内部に拠点を設定しておき、受付時の参加特典として観光施設の割引券を参加者に配布等しておくと、高い集客効果を見込むこともできる。
本実施例では、縦横に２行×９列で配置した欄のうち左上の欄を記入見本として、その余の１７個を拠点表示欄２０として、各拠点の撮影写真を配置している。
【００１４】
＜４＞解答記入欄
解答記入欄３０は、拠点表示欄２０の拠点情報に基づく拠点の位置を、地図表示欄１０で付されたグリッド番号で記入するための空白欄である。
本実施例では、前記した拠点表示欄２０の各欄の左上隅に解答記入欄３０を設けている。
【００１５】
＜５＞その他
図１，２に示す構成では、解答用紙Ａとして、用紙の表面に、地図表示欄１０、拠点表示欄２０、および解答記入欄３０を配置した構成としているところ、用紙の裏面には、イベントのスポンサー、協賛企業、協力店などの紹介情報を掲載したり、イベント参加者にとって、解答にあたって有益な情報（地図の読み方、運動のヒント、お勧めの持ち物など）を掲載したりしてもよい。
また、これらの掲載情報は、全ての解答用紙Ａで同一のものとする必要はなく、掲載情報が異なるパターンを用意してもよい。
【００１６】
＜６＞使用イメージ
本考案に係る解答用紙の使用イメージについて、以下説明する。
【００１７】
（１）解答用紙の配布〜散策の開始
参加受付を済ませた参加者に、本考案に係る解答用紙Ａを配布する。
参加者は、氏名の記入等を行い、散策を開始する。
散策の開始は、参加者全員に対して同時にスタートしてもよいし、参加者の受付時間を開始時間として、随時散策を開始するようにしてもよく、制限時間の有無などのその他のルールと共に、イベントの規模等に応じて適宜決定すればよい。
【００１８】
（２）散策〜各拠点の位置の解答
参加者は、各拠点が知名度の高い場所でない限り、直接その拠点に向かうことはできないため、拠点表示欄２０にある拠点情報（本実施例では写真）を頼りに、周辺の景色を観察しながら解答用紙Ａ内の散策地図に表示されている道を辿って散策を進めていく。
拠点を発見した場合には、これまでの移動軌跡から、散策地図内の拠点の位置を割り出して、当該拠点のグリッド番号を解答記入欄３０に記入する。
この作業を順次繰り返すことで、参加者は散策領域内をくまなく散策することになる。
このように、参加者に「くまなく散策」してもらうことで、各地域の新たな魅力の発見や、散策領域の住民とのふれ合いを深めてもらうことで、より観光効果を高め、従来の観点とは異なる手法で地域振興に貢献することができる。
【００１９】
（３）解答用紙の採点・返却
散策を終了した参加者は、受付に解答用紙を提出し、主催者側で採点を行う。このとき、採点者はグリッド番号のみで採点を行うことが出来るため、採点の手間が低い点にメリットがある。
主催者側では採点結果に応じて、宿泊券や、割引クーポン、お土産品などを配るなどして、参加者に対し、開催地での消費活動を惹起させることができる。
【実施例２】
【００２０】
図３，図４に、本考案に係る第２実施例の解答用紙を示す。
本実施例では、解答用紙Ａを挟み込み可能なクリアファイル４０を更に備えている。
このクリアファイル４０は、挟み込んだ解答用紙Ａに表示されている地図表示欄１０，拠点表示欄２０，解答記入欄３０などの表示面が透けて視認可能となっている。さらに、クリアファイル４０には解答のヒントとなるヒント欄４１を設けており、クリアファイル４０に解答用紙Ａを挟み込んだ状態において、解答用紙Ａ上にヒントが重なるように表示されることで、散策イベントを有利に進めることができるよう構成している。
図３に示す構成では、ヒント欄４１を、地図表示欄１０上において、解答記入欄３０での解答に含まれないエリアに×印を重ねて表示する構成としている。
【００２１】
また、図３に示す構成では、地図表示欄１０に重ねたヒント欄４１でもって、囲んだ空間内の拠点数を示しており、さらに、解答記入欄３０の一部に吹き出しを重ねたヒント欄４１でもって、拠点近辺の情報を提供している。
【００２２】
また、図３，図４において図示しないが、解答記入欄３０に重なる箇所を切り抜いておくことで、クリアファイル４０に解答用紙Ａを挟み込んだ状態で解答記入欄３０への記入が可能な構成としてもよい。
【００２３】
本実施例によれば、例えば本考案にかかる散策イベントとは別に、このクリアファイル４０を入手可能なイベントを開催する等の工夫によって、より地域振興効果を高めることができる。
また、同一の解答用紙Ａを用いながらも、クリアファイル４０の有無によって難易度を調整できるため、各参加者の年齢等に応じた難易度調整作業が容易となる。
【符号の説明】
【００２４】
Ａ  ：解答用紙
１０：地図表示欄
２０：拠点表示欄
３０：解答記入欄
４０：クリアファイル
４１：ヒント欄
【図１】
0003231862.tif 000003
【図２】
0003231862.tif 000004
【図３】
0003231862.tif 000005
【図４】
0003231862.tif 000006
【手続補正書】
【提出日】令和3年2月24日(2021.2.24)
【手続補正１】
【補正対象書類名】実用新案登録請求の範囲
【補正対象項目名】全文
【補正方法】変更
【補正の内容】
【実用新案登録請求の範囲】
【請求項１】
散策イベント用の解答用紙であって、
単数または複数枚の用紙からなり、
散策領域をグリッド表示した散策地図を表示する、地図表示欄と、
散策地図に点在する各拠点の拠点情報をそれぞれ表示する、拠点表示欄と、
前記拠点表示欄の拠点情報に基づく拠点の位置を、前記地図表示欄のグリッド番号で記入するための、解答記入欄と、
を少なくとも有し、
前記地図表示欄、拠点表示欄、および解答記入欄のうち任意の組合せを、前記単数または複数枚の用紙のうち何れか１枚の表面に配置してあり、残る欄がある場合には、当該残る欄を、前記表面の反対面に配置するか、またはその他の用紙に配置してあることを特徴とする、
散策イベント用の解答用紙。
【請求項２】
前記拠点情報が、前記拠点の撮影写真を含んで構成してあることを特徴とする、
請求項１に記載の散策イベント用の解答用紙。
【請求項３】
前記拠点情報が、前記拠点の説明文章を含んで構成してあることを特徴とする、
請求項１または２に記載の散策イベント用の解答用紙。
【請求項４】
前記解答用紙を挟み込み可能な、クリアファイルを更に備え、
前記クリアファイルに、前記解答用紙に重ねて表示されるヒント欄を設けたことを特徴とする、
請求項１乃至３のうち何れか１項に記載の散策イベント用の解答用紙。
【手続補正２】
【補正対象書類名】明細書
【補正対象項目名】０００６
【補正方法】変更
【補正の内容】
【０００６】
上記課題を解決すべくなされた本願の第１考案は、散策イベント用の解答用紙であって、単数または複数枚の用紙からなり、散策領域をグリッド表示した散策地図を表示する、地図表示欄と、散策地図に点在する各拠点の拠点情報をそれぞれ表示する、拠点表示欄と、前記拠点表示欄の拠点情報に基づく拠点の位置を、前記地図表示欄のグリッド番号で記入するための、解答記入欄と、を少なくとも有し、前記地図表示欄、拠点表示欄、および解答記入欄のうち任意の組合せを、前記単数または複数枚の用紙のうち何れか１枚の表面に配置してあり、残る欄がある場合には、当該残る欄を、前記表面の反対面に配置するか、またはその他の用紙に配置してあることを特徴とする。
また、本願の第２考案は、前記第１考案において、前記拠点情報が、前記拠点の撮影写真を含んで構成してあることを特徴とする。
また、本願の第３考案は、前記第１考案または第２項案において、前記拠点情報が、前記拠点の説明文章を含んで構成してあることを特徴とする。
また、本願の第４考案は、前記第１考案乃至第３項案のうちいずれか１つの考案において、前記解答用紙を挟み込み可能な、クリアファイルを更に備え、前記クリアファイルに、前記解答用紙に重ねて表示されるヒント欄を設けたことを特徴とする。